(57)【要約】【課題】表示された情報に応じた手書き情報の入力と情報の選択とを併用する場合であっても、手書き情報の入力や情報の選択を容易に行う。【解決手段】接触位置を検出するとともに当該接触位置の軌跡のみを表示するタッチパネル上に載置される情報入力用プレート１０であって、タッチパネルに手書き情報を入力させるための筆記用開口部１１と、タッチパネルに接触することで複数の情報の中から所望の情報を選択させるために複数の情報に対応して設けられた複数の選択用開口部１２ａ〜１２ｊとを有する。【選択図】図１
2016004405.tif 000002
【特許請求の範囲】
【請求項１】
接触位置を検出するとともに当該接触位置の軌跡のみを表示するタッチパネル上に載置される情報入力用プレートであって、
前記タッチパネルに手書き情報を入力させるための筆記用開口部と、
前記タッチパネルに接触することで複数の情報の中から所望の情報を選択させるために前記複数の情報に対応して設けられた複数の選択用開口部とを有する情報入力用プレート。
【請求項２】
タッチパネルと、該タッチパネル上に載置された情報入力用プレートとを有してなる情報入力装置であって、
前記情報入力用プレートは、
前記タッチパネルに手書き情報を入力させるための筆記用開口部と、
前記タッチパネルに接触することで複数の情報の中から所望の情報を選択させるために前記複数の情報に対応して設けられた複数の選択用開口部とを有し、
前記タッチパネルは、
接触位置を検出する接触位置検出部と、
当該接触位置の軌跡のみを表示する軌跡表示部と、
前記筆記用開口部を介して手書き情報が入力された場合は、前記接触位置検出部にて接触位置が検出された前記手書き情報を送信し、前記選択用開口部を介して情報が選択された場合は、前記接触位置検出部にて検出された接触位置を特定可能な形態で送信する第１の送信部とを有する情報入力装置。
【請求項３】
請求項２に記載の情報入力装置と、
情報処理装置とを有し、
前記第１の送信部は、前記手書き情報または前記位置を直接または間接的に前記情報処理装置に送信し、
前記情報処理装置は、
前記手書き情報の入力や前記情報の選択のためのコンテンツ情報を表示する情報表示部と、
前記コンテンツ情報を管理装置から受信する第１の受信部と、
前記第１の送信部から送信された前記手書き情報または前記位置を直接または間接的に受信する第２の受信部と、
前記第２の受信部にて受信した前記手書き情報または前記位置を、前記情報表示部に現在表示されているコンテンツ情報を示す識別情報とともに前記管理装置に送信する第２の送信部とを有する情報入力システム。
【発明の詳細な説明】
【技術分野】
【０００１】
本発明は、情報入力用プレート、情報入力装置及び情報入力システムに関し、特に、手書き情報の入力と情報の選択との併用を可能とする技術に関する。
【背景技術】
【０００２】
従来より、問題用紙及び解答用紙が受講者に配布され、受講者から解答用紙が回収されて採点が行われる学習システムは、受講者が受講機関等に通わずに自宅で模擬テスト等を受けることができるため、地理的な制約や時間的な制約によって受講機関に通うことができない受講者にとっては便利なシステムとして利用されている。
【０００３】
このような学習システムにおいては、解答用紙が回収された後、解答用紙に記入された解答に対して採点が行われることになるが、採点を効率的に行うために、専用のＯＭＲ（Optical Mark Reader：光学式マーク読取装置）用の用紙が解答用紙として用いられている場合が多い。ＯＭＲを用いた解答の読み取りは誤読の少ない方法であるものの、模擬テストが実施される度に専用の解答用紙を作成し、配布する必要がある。
【０００４】
ところで近年、タッチパネルが、スマートフォン等の様々なデバイスに多数搭載されており、その利用シーンが広がっている。タッチパネルは、例えば、透明基板の表面に透明な導電膜がコーティングされたものが挙げられ、表面に指等が接触した場合にその接触した位置を検出することができる。
【０００５】
このように、タッチパネルは、指等が接触した位置を検出することができるため、情報を表示する表示パネル上に積層することにより、表示パネルを有する情報処理装置に、表示パネルに表示された情報を用いて所望の処理を実行させることができる。例えば、表示パネルに複数のアイコンを表示させておき、複数のアイコンのうち所望のアイコンに指を触れることで、そのアイコンに応じた処理を情報処理装置に実行させることができる。また、タッチパネルにて接触した指の軌跡を検出することで、表示パネルに表示された情報に応じて入力された手書き情報を認識させることもできる。
【０００６】
このように、表示パネルによる情報表示と、タッチパネルを用いた接触入力とを組み合わせることで、表示された情報を参照しての情報入力を容易に行うことができる（例えば、特許文献１参照）。
【０００７】
そこで、上述したような学習システムにおいても、表示パネルとタッチパネルが搭載されたスマートフォン等の情報処理装置に問題を配信し、タッチパネルを用いて解答を入力させることにより、専用の解答用紙を作成、配布する手間を省くことができるようになる。特に、近年では、スマートフォンの保有率が近年急速に増加しているため、スマートフォンを利用したシステムの構築に障害は少なくなっている。
【先行技術文献】
【特許文献】
【０００８】
【特許文献１】特開２０１０−２１１１１６号公報
【発明の概要】
【発明が解決しようとする課題】
【０００９】
しかしながら、上述したように、表示パネル上にタッチパネルを積層し、表示パネルに表示された情報に応じた処理を、タッチパネルへの接触操作を利用して実行させるものにおいては、手書き情報の入力と情報の選択とを併用する場合、どの領域に手書き情報を入力すれがよいのか、また、情報の選択についても、情報を選択するためのアイコンやボタン等がわかりにくい場合があり、特に高齢者等のユーザにとって操作しやすいものとは言い難い。
【００１０】
本発明は、上述したような従来の技術が有する問題点に鑑みてなされたものであって、表示された情報に応じた手書き情報の入力と情報の選択とを併用する場合であっても、手書き情報の入力や情報の選択を容易に行うことができる情報入力用プレート、情報入力装置及び情報入力システムを提供することを目的とする。
【課題を解決するための手段】
【００１１】
上記目的を達成するために本発明は、
接触位置を検出するとともに当該接触位置の軌跡のみを表示するタッチパネル上に載置される情報入力用プレートであって、
前記タッチパネルに手書き情報を入力させるための筆記用開口部と、
前記タッチパネルに接触することで複数の情報の中から所望の情報を選択させるために前記複数の情報に対応して設けられた複数の選択用開口部とを有する。
【００１２】
上記のように構成された本発明の情報入力用プレートは、接触位置を検出するとともに当該接触位置の軌跡のみを表示するタッチパネル上に載置されて使用される。情報入力用プレートには筆記用開口部が設けられているため、情報入力用プレートがタッチパネル上に載置された状態においても、筆記用開口部を介してタッチパネルが表出している。そのため、この筆記用開口部を介してタッチパネルに手書き情報を入力することができる。また、情報入力用プレートには、複数の選択用開口部が設けられているため、情報入力用プレートがタッチパネル上に載置された状態においても、複数の選択用開口部のそれぞれを介してタッチパネルが表出している。そのため、複数の選択用開口部のうち、選択したい情報に対応する選択用開口部を介してタッチパネルに接触を行うことにより、複数の情報の中から所望の情報を選択することができる。
【００１３】
このように、手書き情報の入力は、情報入力用プレートに設けられた筆記用開口部を介して、また、情報の選択は、情報入力用プレートに設けられた複数の選択用開口部を用いて行われることになるため、接触位置を検出するとともに接触位置の軌跡のみを表示するタッチパネル上に情報入力用プレートを載置するだけで、情報を表示する情報表示部を具備する情報処理装置にて表示された情報に応じて、どの領域に手書き情報を入力すればよいのか、また、どのようにして情報を選択するのかがわかりやすく、タッチパネルに対して情報入力用プレートを用いて手書き情報の入力や情報の選択を容易に行うことができる。
【００１４】
また、タッチパネルの構成としては、
接触位置を検出する接触位置検出部と、
当該接触位置の軌跡のみを表示する軌跡表示部と、
前記筆記用開口部を介して手書き情報が入力された場合は、前記接触位置検出部にて接触位置が検出された前記手書き情報を送信し、前記選択用開口部を介して情報が選択された場合は、前記接触位置検出部にて検出された接触位置を特定可能に形態で送信する第１の送信部とを有する構成とすることが考えられる。
【００１５】
ところで、背景技術にて説明したような、表示パネル上にタッチパネルを積層し、表示パネルに表示された情報に応じた処理をタッチパネルへの接触操作を利用して実行させるものにおいては、表示パネルにおける情報表示とタッチパネルにおける接触位置の検出との相関性をとる必要があり、設計作業が煩雑になってしまうという問題点がある。
【００１６】
また、情報が表示される表示パネル上にタッチパネルが積層されていることにより、情報が表示される領域と手書き情報の入力や情報の選択が行われる領域とがほぼ重なるような状態となっているため、例えば、学習テキストの問題を表示パネルに表示し、それに対してタッチパネルに手書き情報の入力や情報の選択によって解答する場合、表示された問題を一人のユーザが読み上げ、それに対して他のユーザが解答するというように、手書き情報の入力や情報の選択を、表示された情報を視認するユーザとは異なるユーザが行うことができず、一人のユーザのみでの操作に限定されてしまうという問題点がある。
【００１７】
そこで、上述した情報入力用プレートとタッチパネルからなる情報入力装置と、情報処理装置とを有し、タッチパネルの第１の送信部が、手書き情報または接触による位置を直接または間接的に情報処理装置に送信し、情報処理装置が、手書き情報の入力や情報の選択のためのコンテンツ情報を表示する情報表示部と、コンテンツ情報を管理装置から受信する第１の受信部と、第１の送信部から送信された手書き情報または接触による位置を直接または間接的に受信する第２の受信部と、第２の受信部にて受信した手書き情報または接触による位置を、情報表示部に現在表示されているコンテンツ情報を示す識別情報とともに管理装置に送信する第２の送信部とを有する構成とすることにより、コンテンツ情報が情報処理装置にて表示される一方、このコンテンツ情報に応じた手書き情報の入力や情報の選択が、情報処理装置とは別の情報入力装置に対して行われることになり、それにより、情報表示と情報が入力された位置の検出との相関性をとる必要がなく、設計作業が煩雑になってしまうことがない。さらに、手書き情報の入力や情報の選択を、手書き情報の入力や情報の選択を行うために表示されたコンテンツ情報を視認するユーザとは異なるユーザが行うことができる。
【発明の効果】
【００１８】
本発明によれば、手書き情報の入力が、情報入力用プレートに設けられた筆記用開口部を介して、また、情報の選択が、情報入力用プレートに設けられた複数の選択用開口部を用いて行われることになるため、接触位置を検出するとともに接触位置の軌跡のみを表示するタッチパネル上に情報入力用プレートを載置するだけで、情報を表示する情報表示部を具備する情報処理装置にて表示された情報に応じて、どの領域に手書き情報を入力すればよいのか、また、どのようにして情報を選択するのかがわかりやすく、タッチパネルに対して情報入力用プレートを用いて手書き入力や情報選択を容易に行うことができる。
【００１９】
また、上述した情報入力用プレートとタッチパネルからなる情報入力装置と、情報処理装置とを有し、タッチパネルが、手書き情報または接触による位置を直接または間接的に情報処理装置に送信し、情報処理装置が、手書き情報の入力や情報の選択のためのコンテンツ情報を表示する情報表示部と、コンテンツ情報を管理装置から受信する第１の受信部と、タッチパネルから送信された手書き情報または接触による位置を直接または間接的に受信する第２の受信部と、第２の受信部にて受信した手書き情報または接触による位置を、情報表示部に現在表示されているコンテンツ情報を示す識別情報とともに管理装置に送信する第２の送信部とを有する構成とすることにより、コンテンツ情報が情報処理装置にて表示される一方、このコンテンツ情報に対する手書き情報の入力や情報の選択が、情報処理装置とは別の情報入力装置に対して行われることになり、それにより、情報表示と情報が入力された位置の検出との相関性をとる必要がなく、設計作業が煩雑になってしまうことがない。さらに、手書き情報の入力や情報の選択を、手書き情報の入力や情報の選択を行うために表示されたコンテンツ情報を視認するユーザとは異なるユーザが行うことができる。
【図面の簡単な説明】
【００２０】
【図１】本発明の情報入力用プレートの実施の一形態を示す外観図である。
【図２】図１に示した情報入力用プレートが利用されるシステム環境の一例を示す図である。
【図３】本発明の情報入力装置の構成を示す図であり、（ａ）はタッチパネルの外観図、（ｂ）は（ａ）に示したタッチパネル上に図１に示した情報入力用プレートが載置された状態を示す外観図である。
【図４】図３（ａ）に示したタッチパネルの機能構成を示す機能ブロック図である。
【図５】図２に示したスマートフォンの機能構成を示す機能ブロック図である。
【図６】図２に示した学習システムにおける処理の流れを説明するためのフローチャートである。
【図７】図２に示した学習システムの運営者から受講者に送付された学習テキストを示す図である。
【図８】図３に示したタッチパネルに解答が入力された状態を示す図であり、（ａ）は情報入力用プレートの筆記用開口部を介して手書き情報が入力されていく状態を示す図、（ｂ）は情報入力用プレートの選択用開口部を介して情報が選択された状態を示す図である。
【発明を実施するための形態】
【００２１】
以下に、本発明の実施の形態について図面を参照して説明する。
【００２２】
図１は、本発明の情報入力用プレートの実施の一形態を示す外観図である。
【００２３】
本形態における情報入力用プレートは図１に示すように、板状部材からなり、筆記用開口部１１、複数の選択用開口部１２ａ〜１２ｊ及びボタン用開口部１３がそれぞれ、板状部材の表裏を貫通して形成されて構成されている。また、タッチペン１５が板状部材に繋がれているとともに、タッチペン１５を置くためのペン置き部１４が、タッチペン１５に応じた大きさで板状部材の表面から窪んだ形状となって設けられている。
【００２４】
筆記用開口部１１は、この情報入力用プレート１０が後述するタッチパネル上に載置された場合に手書き情報をタッチパネルに入力させるためのものであって、例えば、横長の長方形を有している。筆記用開口部１１の近傍には、筆記用開口部１１が手書き情報を入力するためのものであることを示す点字情報１６が刻印されている。
【００２５】
選択用開口部１２ａ〜１２ｊは、この情報入力用プレート１０が後述するタッチパネル上に載置された場合に、タッチパネルに接触することで複数の情報の中から所望の情報を選択させるためのものであって、複数の情報となる選択肢“１”〜“０”に対応して設けられている。選択用開口部１２ａ〜１２ｊは、筆記用開口部１１とは異なり、選択肢“１”〜“０”のうちどの選択肢がタッチパネルへの接触で選択されたかが認識されればよいため、その大きさは、タッチペン１５の先端がタッチパネルに接触すればよい程度のものとなっている。選択用開口部１２ａ〜１２ｊのそれぞれの近傍には、選択用開口部１２ａ〜１２ｊのそれぞれが、選択肢“１”〜“０”を選択するためのものであることを示す点字情報１７ａ〜１７ｊが刻印されている。
【００２６】
以下に、上記のように構成された情報入力用プレート１０の利用方法について説明する。
【００２７】
図２は、図１に示した情報入力用プレート１０が利用されるシステム環境の一例を示す図である。
【００２８】
図１に示した情報入力用プレート１０は、例えば図２に示すように、情報入力用プレート１０が載置されたタッチパネル２０と、情報処理装置となるスマートフォン３０と、インターネット６０に接続された基地局４０と、管理装置となるサービスサーバー５０とからなる学習システムにて利用される。情報入力用プレート１０がタッチパネル２０上に載置された状態で本発明の情報入力装置が構成される。また、その情報入力装置とスマートフォン３０とから、本発明の情報入力システムが構成される。
【００２９】
基地局４０は、スマートフォン３０をインターネット６０に接続するための中継装置の役割を果たすものである。サービスサーバー５０は、スマートフォン３０に表示されるコンテンツ情報を管理しており、スマートフォン３０からの要求に応じてインターネット６０を介してスマートフォン３０にコンテンツ情報を配信する。なお、図２に示した学習システムにおいては、サービスサーバー５０において、学習システムに用いられる問題コンテンツがコンテンツ情報として管理されている。
【００３０】
図３は、本発明の情報入力装置の構成を示す図であり、（ａ）はタッチパネル２０の外観図、（ｂ）は（ａ）に示したタッチパネル２０上に図１に示した情報入力用プレート１０が載置された状態を示す外観図である。
【００３１】
図１に示した情報入力用プレート１０が載置されるタッチパネル２０は、例えば図３（ａ）に示すように、情報入力用プレート１０が載置される面側に、タッチセンサー部２１と、電源／リフレッシュボタン２２ａと、送信ボタン２２ｂと、消去ボタン２２ｃとが設けられている。
【００３２】
タッチセンサー部２１は、図３（ｂ）に示すように、タッチパネル２０上に情報入力用プレート１０が載置された場合に筆記用開口部１１及び選択用開口部１２ａ〜１２ｊと対向するために十分な大きさを有している。タッチセンサー部２１は、タッチペン１５等による接触を検知した場合、その接触位置を検出するとともに、その接触による軌跡を表示するものであって、その動作原理は一般的なペン入力タブレットに用いられているものと同様である。
【００３３】
電源／リフレッシュボタン２２ａは、タッチパネル２０の電源のＯＮ／ＯＦＦの切り替えを行ったり、タッチセンサー部２１のリフレッシュ動作を行ったりするためのボタンである。
【００３４】
送信ボタン２２ｂは、タッチセンサー部２１にて接触位置が検出された手書き情報やその接触による位置をスマートフォン３０に送信するためのボタンである。
【００３５】
消去ボタン２２ｃは、タッチセンサー部２１にタッチペン１５等が接触して表示された軌跡を消去するためのボタンである。
【００３６】
これら電源／リフレッシュボタン２２ａ、送信ボタン２２ｂ及び消去ボタン２２ｃは、タッチパネル２０上に情報入力用プレート１０が載置された場合にボタン用開口部１３を介して表出している。
【００３７】
図４は、図３（ａ）に示したタッチパネル２０の機能構成を示す機能ブロック図である。
【００３８】
図３（ａ）に示したタッチパネル２０は図４に示すように、接触位置検出部２３と、軌跡表示部２４と、操作部２２と、送信部２５と、制御部２６とを有している。接触位置検出部２３と軌跡表示部２４とによってタッチセンサー部２１が機能し、操作部２２は、電源／リフレッシュボタン２２ａ、送信ボタン２２ｂ及び消去ボタン２２ｃを構成する。
【００３９】
接触位置検出部２３は、タッチセンサー部２１にタッチペン１５等が接触した場合にその接触位置を検出する。
【００４０】
軌跡表示部２４は、接触位置検出部２３にて検出された接触位置の軌跡を表示する。
【００４１】
送信部２５は、本発明の第１の送信部となるものであって、接触位置検出部２３にて検出された接触位置による情報を送信する。すなわち、送信部２５は、タッチパネル２０上に情報入力用プレート１０が載置された状態で筆記用開口部１１を介して手書き情報が入力された場合は、接触位置検出部２３にて接触位置が検出された手書き情報を送信し、また、選択用開口部１２ａ〜１２ｊを介して情報が選択された場合は、接触位置検出部２３にて検出された接触位置を特定可能な形態で送信する。
【００４２】
制御部２６は、上述した接触位置検出部２３、軌跡表示部２４、操作部２２及び送信部２５の動作を制御するものである。
【００４３】
図５は、図２に示したスマートフォン３０の機能構成を示す機能ブロック図である。
【００４４】
図２に示したスマートフォン３０は図５に示すように、情報表示部３３と、受信部３２，３４と、送信部３１と、コード読取部３５と、制御部３６とを有している。なお、図２に示したスマートフォン３０は、タッチセンサー部や音声出力部、鳴動部、あるいは振動部等、他の機能も有しているが、本願発明にて必要となる機能のみについて説明する。
【００４５】
受信部３２は、本発明の第１の受信部となるものであって、サービスサーバー５０から送信されてきたコンテンツ情報をインターネット６０及び基地局４０を介して受信する。
【００４６】
情報表示部３３は、受信部３２にて受信されたコンテンツ情報を表示する。図２に示した学習システムにおいては上述したように、サービスサーバー５０において、学習システムに用いられる問題コンテンツがコンテンツ情報として管理されているため、この問題コンテンツがサービスサーバー５０から送信され、受信部３２にて受信されて情報表示部３３に表示されることになる。
【００４７】
コード読取部３５は、二次元コードを読み取り可能に構成されたものである。
【００４８】
受信部３４は、本発明の第２の受信部となるものであって、タッチパネル２０の送信部２５から送信された手書き情報または接触位置を示す情報を受信する。
【００４９】
送信部３１は、本発明の第２の送信部となるものであって、受信部３４にて受信した手書き情報または接触位置を示す情報を、情報表示部３３に現在表示されている問題コンテンツを示す識別情報とともにサービスサーバー５０に送信する。
【００５０】
制御部３６は、上述した情報表示部３３、受信部３２，３４、送信部３１及びコード読取部３５の動作を制御するものである。
【００５１】
以下に、上述した学習システムにおける処理の流れについて説明する。
【００５２】
図６は、図２に示した学習システムにおける処理の流れを説明するためのフローチャートである。
【００５３】
図２に示した学習システムにおいて受講者が模擬テストを受ける場合、まず、学習システムの運営者から受講者に送付された学習テキストに掲載された二次元コードが、受講者のスマートフォン３０のコード読取部３５にて読み取られる（ステップ１）。
【００５４】
図７は、図２に示した学習システムの運営者から受講者に送付された学習テキストを示す図である。
【００５５】
図７に示すように、図２に示した学習システムの運営者から受講者に送付された学習テキスト７０には、頁毎に二次元コード７１ａ，７１ｂが掲載されている。この二次元コード７１ａ，７１ｂは、受講者を示す受講者コードと、その頁に含まれる問題を示す問題コードとが含まれている。すなわち、図２に示した学習システムの運営者から受講者に送付された学習テキスト７０に掲載される二次元コードは、受講者毎また頁毎に異なるものとなる。そのため、１つの頁に複数の問題が掲載されている場合は、１つの二次元コードに複数の問題コードが含まれていることになり、また、１つの問題が複数頁に跨がって掲載されている場合は、その問題の最初の頁のみに二次元コードが掲載されていることになる。そして、受講者は、模擬テストを受ける場合まず、受講者のスマートフォン３０を用いてこの二次元コード７１ａ，７１ｂを１つずつ読み取っていくことになる。
【００５６】
スマートフォン３０のコード読取部３５にて二次元コード７１ａが読み取られると、二次元コード７１ａに含まれる受講者コードと問題コードとが認識され、これら受講者コードと問題コードとが送信部３１から送信される（ステップ２）。
【００５７】
スマートフォン３０の送信部３１から送信された受講者コードと問題コードは、基地局４０及びインターネット６０を介してサービスサーバー５０にて受信される（ステップ３）。
【００５８】
サービスサーバー５０においては、受講者が解答すべき問題コンテンツがコンテンツ情報として問題コードと対応づけてデータベース上で管理されている。そのため、スマートフォン３０の送信部３１から送信された受講者コードと問題コードとがサービスサーバー５０にて受信されると、サービスサーバー５０において、受講者コードによって示される受講者が模擬テストを開始した旨が管理されるとともに、問題コードに対応づけられた問題コンテンツがデータベースから抽出される。この際、１つの問題コードに複数の問題コンテンツが対応づけられている場合は、その問題コードに対応づけられた全ての問題コンテンツがデータベースから抽出されることになる。
【００５９】
データベースから抽出された問題コンテンツはサービスサーバー５０から送信され（ステップ４）、インターネット６０及び基地局４０を介して、スマートフォン３０の受信部３２にて受信される（ステップ５）。この際、サービスサーバー５０からは、問題コンテンツとともに問題コンテンツを示すコンテンツ番号が識別情報として送信されており、このコンテンツ番号もスマートフォン３０の受信部３２にて受信されることになる。
【００６０】
スマートフォン３０においては、サービスサーバー５０から送信された問題コンテンツが受信部３２にて受信されると、受信された問題コンテンツが情報表示部３３にて表示出力される（ステップ６）。その際、スマートフォン５０においては、情報表示部３３に表示されている問題コンテンツを示すコンテンツ番号が、情報表示部３３に現在表示されている問題コンテンツを示すものとして管理される。また、スマートフォン３０において、受信された問題コンテンツを表示出力するだけでなく、入力ガイダンスを表示出力してもよく、さらに、問題コンテンツを音声出力してもよい。
【００６１】
このように、問題コンテンツが、サービスサーバー５０から送信されてスマートフォン３０に表示出力されるため、問題コンテンツを問題用紙に印刷する場合と比べて、問題コンテンツの内容やフォームを容易に改変することができる。
【００６２】
サービスサーバー５０から送信された問題コンテンツが情報表示部３３に表示出力された後、受講者は、表示された問題コンテンツの解答をタッチパネル２０に入力することになる（ステップ７）。
【００６３】
図８は、図３に示したタッチパネル２０に解答が入力された状態を示す図であり、（ａ）は情報入力用プレート１０の筆記用開口部１１を介して手書き情報が入力されていく状態を示す図、（ｂ）は情報入力用プレート１０の選択用開口部１２ａを介して情報が選択された状態を示す図である。
【００６４】
表示された問題コンテンツの解答を受講者がタッチパネル２０に入力する際は、図８に示すように、タッチパネル２０上に情報入力用プレート１０が載置された状態となっている。
【００６５】
そのため、スマートフォン３０の情報表示部３３に表示された問題コンテンツの解答が、選択肢を選択するものではなく、文言で解答するものである場合は、図８（ａ）に示すように、情報入力用プレート１０の筆記用開口部１１を介して手書き情報が入力されていく。これにより、受講者は、紙に書くような感覚で解答を入力することができる。なおこの際、筆記用開口部１１の近傍には、上述したように筆記用開口部１１が手書き情報を入力するためのものであることを示す点字情報１６が刻印されているため、視覚障害者でも筆記用開口部１１を介して手書き情報を入力することができる。
【００６６】
すると、タッチセンサー部２１において、入力された手書き情報によるタッチペン１５の接触位置が検出されるとともに、タッチペン１５の接触による軌跡２７が表示される。
【００６７】
また、スマートフォン３０の情報表示部３３に表示された問題コンテンツの解答が、選択肢を選択するものである場合は、情報入力用プレート１０の選択用開口部１２ａ〜１２ｊのうち、受講者が正解と考える選択肢に対応する選択用開口部を介してタッチペン１５をタッチセンサー部２１に接触させると、タッチセンサー部２１において、タッチペン１５の接触位置が検出されるとともに、図８（ｂ）に示すように、その選択用開口部を介して視認される領域にドット２８が表示される。例えば、問題コンテンツの解答として選択肢“１”を選択する場合は、選択用開口部１２ａを介してタッチペン１５をタッチセンサー部２１に接触させ、また、問題コンテンツの解答として選択肢“２”を選択する場合は、選択用開口部１２ｂを介してタッチペン１５をタッチセンサー部２１に接触させ、また、問題コンテンツの解答として選択肢“３”を選択する場合は、選択用開口部１２ｃを介してタッチペン１５をタッチセンサー部２１に接触させ、また、問題コンテンツの解答として選択肢“４”を選択する場合は、選択用開口部１２ｄを介してタッチペン１５をタッチセンサー部２１に接触させ、また、問題コンテンツの解答として選択肢“５”を選択する場合は、選択用開口部１２ｅを介してタッチペン１５をタッチセンサー部２１に接触させ、また、問題コンテンツの解答として選択肢“６”を選択する場合は、選択用開口部１２ｆを介してタッチペン１５をタッチセンサー部２１に接触させ、また、問題コンテンツの解答として選択肢“７”を選択する場合は、選択用開口部１２ｇを介してタッチペン１５をタッチセンサー部２１に接触させ、また、問題コンテンツの解答として選択肢“８”を選択する場合は、選択用開口部１２ｈを介してタッチペン１５をタッチセンサー部２１に接触させ、また、問題コンテンツの解答として選択肢“９”を選択する場合は、選択用開口部１２ｉを介してタッチペン１５をタッチセンサー部２１に接触させ、また、問題コンテンツの解答として選択肢“０”を選択する場合は、選択用開口部１２ｊを介してタッチペン１５をタッチセンサー部２１に接触させる。この際、選択用開口部１２ａ〜１２ｊの近傍には、上述したように選択用開口部１２ａ〜１２ｊのそれぞれが、選択肢“１”〜“０”を選択するためのものであることを示す点字情報１７ａ〜１７ｊが刻印されているため、視覚障害者でも、選択用開口部１２ａ〜１２ｊを用いて、解答となる選択肢を選択することができる。
【００６８】
このように、問題コンテンツがスマートフォン３０にて表示される一方、この問題コンテンツに対する解答の入力が、スマートフォン３０とは別のタッチパネル２０に対して行われることになり、それにより、問題コンテンツの表示と解答が入力された位置の検出との相関性をとる必要がなく、設計作業が煩雑になってしまうことがない。さらに、問題コンテンツに対する解答の入力を、問題コンテンツを視認するユーザとは異なるユーザが行うことができる。例えば、スマートフォン３０に表示された問題コンテンツを親が読み上げ、その問題コンテンツに対する解答を子供が入力することができる。また、スマートフォン３０の情報表示部３３に表示された問題コンテンツの解答が、選択肢を選択するものである場合、受講者が正解と考える選択肢に対応する選択用開口部を介してタッチペン１５をタッチセンサー部２１に接触させるという極めて単純な方法で解答を入力することになるため、アイコンやボタン等のように選択の仕方がわかりにくいということがなくなる。
【００６９】
上記のようにして筆記用開口部１１または選択用開口部１２ａ〜１２ｊを介して解答が入力された後、ボタン用開口部１３を介して表出した送信ボタン２２ｂが押下されると、入力された解答がタッチパネル２０の送信部２５から送信される（ステップ８）。この際、入力された解答は、タッチセンサー部２１に入力されて接触位置が検出されたイメージデータのまま送信されることになる。すなわち、タッチパネル２０の送信部２５においては、筆記用開口部１１を介して手書き情報が入力された場合は、タッチセンサー部２１にて接触位置が検出された手書き情報が解答として送信され、選択用開口部１２ａ〜１２ｊを介して情報が選択された場合は、タッチセンサー部２１にて検出された接触位置が特定可能な形態で解答として送信されることになる。
【００７０】
タッチパネル２０の送信部２５から送信されたイメージデータによる解答は、スマートフォン３０の受信部３４にて受信される（ステップ９）。なお、タッチパネル２０の送信部２５からスマートフォン３０の受信部３４へのイメージデータの送信は、Bluetooth（登録商標）や赤外線通信等の近距離通信を介して行うことが考えられる。
【００７１】
タッチパネル２０から送信されたイメージデータによる解答がスマートフォン３０の受信部３４にて受信されると、スマートフォン３０の送信部３１から、受信された解答がイメージデータのまま、情報表示部３３に現在表示されている問題コンテンツを示すコンテンツ番号とともに送信される（ステップ１０）。スマートフォン５０においては、上述したように、情報表示部３３に表示されている問題コンテンツを示すコンテンツ番号が、情報表示部３３に現在表示されている問題コンテンツを示すものとして管理されているため、受信された解答とともに、情報表示部３３に現在表示されている問題コンテンツを示すコンテンツ番号を送信することができる。
【００７２】
スマートフォン３０の送信部３１からイメージデータとして送信された解答は、基地局４０及びインターネット６０を介してサービスサーバー５０にて受信される（ステップ１１）。
【００７３】
そして、サービスサーバー５０において、データベースから抽出された問題コンテンツのうち、スマートフォン３０にまだ送信されていない問題コンテンツがある場合は（ステップ１２）、ステップ４における処理に戻り、その問題コンテンツが送信されることになる。
【００７４】
また、データベースから抽出された問題コンテンツが全てスマートフォン３０に送信されている場合は、サービスサーバー５０において、スマートフォン３０の送信部３１からイメージデータとして送信されてきた解答が解析され、解析された解答が、スマートフォン３０から解答とともに送信されてきたコンテンツ番号及びステップ３にて受信された受講者コードと対応づけて登録される（ステップ１３）。この際、サービスサーバー５０から問題コンテンツが送信されてから解答が受信されるまでの時間を計測することにより、出題から解答までの時間を把握することができる。
【００７５】
ここで、サービスサーバー５０においては、受講者が筆記用開口部１１を介してタッチパネル２０に入力した手書き情報のみならず、選択用開口部１２ａ〜１２ｊを介して選択された解答もスマートフォン３０からイメージデータとして送信されてくるため、選択用開口部１２ａ〜１２ｊを介して選択された解答が、問題コンテンツに示される選択肢のうちどの選択肢が選択されたものなのかを解析する必要がある。サービスサーバー５０においては、タッチセンサー部２１における座標と解答の選択肢の番号とが対応づけて管理されている。そのため、サービスサーバー５０においては、スマートフォン３０から送信されてきたイメージデータに含まれるドット２８の座標を解析することにより、問題コンテンツに示される選択肢のうちどの選択肢が解答として選択されたかを認識することができる。
【００７６】
また、受講者が筆記用開口部１１を介してタッチパネル２０に入力した手書き情報においても、解析してテキストデータとしてデータベースに登録してもよい。
【００７７】
サービスサーバー５０においては、受講者に送付した学習テキスト７０に掲載された二次元コードに含まれる問題コンテンツの全てについて上記同様の処理にて解答をデータベースに登録した後、採点等の集計処理が行われることになる。この際、解答用紙のフォーム画像を作成し、このフォーム画像に、手書き情報をオーバーレイするとともに、選択情報を埋め込み、解答用紙としてプリントアウトすることも考えられる。
【００７８】
上述したように本形態においては、手書き情報の入力が、情報入力用プレート１０に設けられた筆記用開口部１１を介して、また、情報の選択が、情報入力用プレート１０に設けられた複数の選択用開口部１２ａ〜１２ｊを用いて行われることになるため、接触位置を検出するとともに接触位置の軌跡のみを表示するタッチパネル２０上に情報入力用プレート１０を載置するだけで、情報を表示する情報表示部３３を具備するスマートフォン３０にて表示された情報に応じて、どの領域に手書き情報を入力すればよいのか、また、どのようにして情報を選択するのかがわかりやすく、タッチパネル２０に対して情報入力用プレート１０を用いて手書き情報の入力や情報の選択を容易に行うことができる。
【００７９】
なお、本形態においては、選択用開口部１２ａ〜１２ｊを介して入力された解答が、タッチセンサー部２１に入力されて接触位置が検出されたイメージデータのままタッチパネル２０からスマートフォン３０に送信されているが、タッチパネル２０において、検出された接触位置から座標を算出し、この座標情報をスマートフォン３０に送信してもよい。また、そのような座標の算出をスマートフォン３０にて行ってもよい。いずれの場合においても、タッチパネル２０においては、選択用開口部１２ａ〜１２ｊを介して情報が選択された場合は、タッチセンサー部２１にて検出された接触位置が特定可能な形態で解答として送信されることになる。
【００８０】
また、本形態においては、タッチパネル２０に入力された手書き情報または選択された接触位置による解答をスマートフォン３０に直接的に送信しているが、他のサーバー経由で間接的に送信してもよい。
【００８１】
また、上記のようなシステムは、学習システム以外に、銀行の窓口での依頼情報の記入や、病院での問診票の記入等にも利用することができる。
【符号の説明】
【００８２】
１０    情報入力用プレート
１１    筆記用開口部
１２ａ〜１２ｊ    選択用開口部
１３    ボタン用開口部
１４    ペン置き部
１５    タッチペン
１６，１７ａ〜１７ｊ    点字情報
２０    タッチパネル
２１    タッチセンサー部
２２    操作部
２２ａ    電源／リフレッシュボタン
２２ｂ    送信ボタン
２２ｃ    消去ボタン
２３    接触位置検出部
２４    軌跡表示部
２５，３１    送信部
２６，３６    制御部
２７    軌跡
２８    ドット
３０    スマートフォン
３２，２４    受信部
３３    情報表示部
３５    コード読取部
４０    基地局
５０    サービスサーバー
６０    インターネット
７０    学習テキスト
７１ａ，７１ｂ    二次元コード
【図１】
2016004405.tif 000003
【図２】
2016004405.tif 000004
【図３】
2016004405.tif 000005
【図４】
2016004405.tif 000006
【図５】
2016004405.tif 000007
【図６】
2016004405.tif 000008
【図７】
2016004405.tif 000009
【図８】
2016004405.tif 000010